(57)【要約】【課題】複数のＩＣを備えたＯＳＤ機能付システムにおいて、各ＩＣの状態、制御データの変更前後の状態、ポートの状態等を画面上に一覧表示させることで、ユーザ調整や工程調整の作業を容易にする。【解決手段】表示指令の入力があると、マイクロコンピュータに接続されている各ＩＣの名称、アドレス、制御データ、およびマイクロコンピュータの各ポートの名称、その状態をＯＳＤ機能により画面表示する手段と、切り換え指令の入力があると、各ＩＣに関する表示機能の表示・非表示を切り換える手段と、選択指令の入力があると、各ＩＣの名称、アドレスまたは制御データを選択して表示・非表示を設定する手段とを備えたことを特徴とする。【選択図】  図１
2004274424.tif 000002
【特許請求の範囲】
【請求項１】
複数のＩＣを備えたＯＳＤ機能付システムにおいて、
表示指令の入力があると、マイクロコンピュータに接続されている各ＩＣの名称、アドレス、制御データ、およびマイクロコンピュータの各ポートの名称、その状態をＯＳＤ機能により画面表示する手段を備えたことを特徴とするＯＳＤ機能付システム。
【請求項２】
請求項１に記載のＯＳＤ機能付システムにおいて、
切り換え指令の入力があると、各ＩＣに関する表示機能の表示・非表示を切り換える手段を備えたことを特徴とするＯＳＤ機能付システム。
【請求項３】
請求項１または２に記載のＯＳＤ機能付システムにおいて、
選択指令の入力があると、各ＩＣの名称、アドレスまたは制御データを選択して表示・非表示を設定する手段を備えたことを特徴とするＯＳＤ機能付システム。
【請求項４】
請求項１乃至３のいずれかに記載のＯＳＤ機能付システムにおいて、
ＩＣの制御データが書き換えられた場合に書き換え前の制御データを記憶しておく手段と、
データ表示指令の入力があると、各ＩＣごとに調整前のデータと調整後のデータの両方を表示する手段と、
を備えたことを特徴とするＯＳＤ機能付システム。
【請求項５】
請求項４に記載のＯＳＤ機能付システムにおいて、
調整前のデータと調整後のデータに変化があったＩＣについてのみデータ表示する手段を備えたことを特徴とするＯＳＤ機能付システム。
【請求項６】
請求項１乃至５のいずれかに記載のＯＳＤ機能付システムにおいて、
調整前のデータと調整後のデータに変化があった場合にその変化があったデータ項目の色を他と変えて表示する手段を備えたことを特徴とするＯＳＤ機能付システム。
【請求項７】
請求項１乃至６のいずれかに記載のＯＳＤ機能付システムにおいて、
ページ切り換え指令がＲ／Ｃ等により入力されると、表示データを各ＩＣごとにページ分けして表示する手段を備えたことを特徴とするＯＳＤ機能付システム。
【請求項８】
請求項１乃至７のいずれかに記載のＯＳＤ機能付システムにおいて、
ＩＣにエラーが発生した場合にエラー表示する手段を備えたことを特徴とするＯＳＤ機能付システム。
【発明の詳細な説明】
【０００１】
【発明の属する技術分野】
本発明は、テレビ、プロジェクター、ＤＶＤプレーヤー等の各種映像機器システムのように、複数のＩＣを備えたＯＳＤ機能付システムに関する。
【０００２】
【従来の技術】
近年、映像表示装置の機能が多彩になるに伴って、制御するＩＣ等のデータの数が非常に増加してきている。そのため、制御する内容も複雑になっており、一つの機能を実行することによって正確にＩＣの制御が行われているかどうかを確認することか困難な状況にある。
従来、工程調整やユーザ調整の際に行われている、それらを確認する方法としては、ＩＩＣバスからバスモニタ等に表示する方法や、ＲＳ２３２Ｃ等からＰＣに表示させる方法がある（例えば、特許文献１。）。
【０００３】
【特許文献１】
特開平１−９５０５号公報
【０００４】
【発明が解決しようとする課題】
しかしながら、これらの従来の方法は、準備の接続作業や操作が煩わしく能率の良い方法ではなく、もっと簡便で確実な方法の提案が望まれていた。
そこで本発明は、複数のＩＣを備えたＯＳＤ機能付システムにおいて、各ＩＣの状態、制御データの変更前後の状態、ポートの状態等を画面上に一覧表示させることで、ユーザ調整や工程調整の作業を容易にすることを目的とした。
【０００５】
【課題を解決するための手段】
上記課題を解決するために、請求項１の発明は、複数のＩＣを備えたＯＳＤ機能付システムにおいて、表示指令の入力があると、マイクロコンピュータに接続されている各ＩＣの名称、アドレス、制御データ、およびマイクロコンピュータの各ポートの名称、その状態をＯＳＤ機能により画面表示する手段を備える。
【０００６】
請求項２の発明は、請求項１の発明において、切り換え指令の入力があると、各ＩＣに関する表示機能の表示・非表示を切り換える手段を備える。
【０００７】
請求項３の発明は、請求項１または２の発明において、選択指令の入力があると、各ＩＣの名称、アドレスまたは制御データを任意に選択して表示・非表示を設定する手段を備える。
【０００８】
請求項４の発明は、請求項１乃至３のいずれかの発明において、ＩＣの制御データが書き換えられた場合に書き換え前の制御データを記憶しておく手段と、データ表示指令の入力があると、各ＩＣごとに調整前のデータと調整後のデータの両方を表示する手段とを備える。
【０００９】
請求項５の発明は、請求項４の発明において、調整前のデータと調整後のデータに変化があったＩＣについてのみデータ表示する手段を備える。
【００１０】
請求項６の発明は、請求項１乃至５のいずれかの発明において、調整前のデータと調整後のデータに変化があった場合にその変化があったデータ項目の色を他と変えて表示する手段を備える。
【００１１】
請求項７の発明は、請求項１乃至６のいずれかの発明において、ページ切り換え指令がＲ／Ｃ等により入力されると、表示データを各ＩＣごとにページ分けして表示する手段を備える。
【００１２】
請求項８の発明は、請求項１乃至７のいずれかの発明において、ＩＣにエラーが発生した場合にエラー表示する手段を備える。
【００１３】
【発明の実施の形態】
以下、図に沿って本発明の実施形態を説明する。
図１は本発明の第１の実施形態を示すブロック図である。システムマイコン３は、内部ＲＡＭ４とＯＳＤ作成部６を内蔵し、ＩＩＣバス１３を介してＥＥＰＲＯＭ５、ＩＣ１０〜ＩＣ１２が接続され、ＩＩＣバス１４を介してＩＣ７〜ＩＣ９が接続されている。これらＩＣ７〜ＩＣ１２は、システムマイコン３により制御される。このシステムで、ユーザ調整や工程調整を行う際は、表示指令を入力すると、内部ＲＡＭ４もしくはＥＥＰＲＯＭ５より現在の各ＩＣの設定値を読み出し、それらをもとにＯＳＤ作成部６にてＯＳＤを作成し、映像処理部２を介してディスプレイ部１に、各ＩＣの名称、設定されているデータ等を表示させる。なお、各ＩＣの名称は予め入力されているものとする。
【００１４】
次に、調整データを変更する際は、任意の調整項目のデータを変更すると、システムマイコン３が変更した項目によって各ＩＣに制御データを送信し、同時に内部ＲＡＭ４もしくはＥＥＰＲＯＭ５にも変更した各制御データを書き込む。次いで、システムマイコン３は内部ＲＡＭ４もしくはＥＥＰＲＯＭ５から各制御データを読み出し、それらをもとにＯＳＤ作成部６にてＯＳＤを作成し、映像処理部２を介してディスプレイ部１に、各ＩＣの制御データ等を表示させる。このとき、内部ＲＡＭ４もしくはＥＥＰＲＯＭ５には、変更前の制御データも残しておく。
【００１５】
また、システムマイコン３のポートの設定状態を表示させる際は、ポートの設定状態についての表示指令を入力すると、システムマイコン３が内部ＲＡＭ４もしくはＥＥＰＲＯＭ５から各ポートの現在の設定値を読み出し、それらをもとにＯＳＤ作成部６にてＯＳＤを作成し、映像処理部２を介してディスプレイ部１に、各ポートの名称、設定されているデータ等を表示させる。
【００１６】
図２は本発明の第２の実施形態を示すブロック図である。このシステムの図１のシステムと異なる点は、システムマイコン３の外部にＩＣからなるＯＳＤ作成部６を設けたことであり、その他の構成は図１のシステムと同一である。また、ユーザ調整や工程調整を行う際の表示の動作については、図１のシステムと同一であるので説明を省略する。
【００１７】
図３はディスプレイ部１のＯＳＤ表示例を示す図である。図示例は、各ＩＣの名称、ＩＣのスレーブアドレス、同じくサブアドレス、変更前のデータ、変更後のデータが一覧になって表示されている。この表示では、調整によりデータを変更する場合に、データの変更前と変更後が表示されているため、調整作業が容易になる。
【００１８】
図４はディスプレイ部１のＯＳＤ表示例を示す図である。図示例は、システムマイコン３のポートの番号、変更前の状態、変更後の状態が一覧になって表示されている。この表示画面により、ポートの確認が容易になる。
【００１９】
図５はディスプレイ部１のＯＳＤ表示例を示す図である。図示例は、図３と同様に、各ＩＣの名称、ＩＣのスレーブアドレス、同じくサブアドレス、変更前のデータ、変更後のデータが一覧になって表示されている。この表示では、データ変更があったＩＣのみを表示するようにしているため、調整作業の際のデータの変更確認がさらに容易になる。
【００２０】
図６はディスプレイ部１のＯＳＤ表示例を示す図である。図示例は、図５と同様に、データ変更があったＩＣのみの名称、ＩＣのスレーブアドレス、同じくサブアドレス、変更前のデータ、変更後のデータが一覧になって表示されている。この表示では、データ変更があったＩＣのみを表示するとともに、データ変更のあった項目のみ、表示色を変えて表示するようにしたものである。その結果、調整作業の際のデータの変更確認がさらに容易になる。
【００２１】
図７はディスプレイ部１のＯＳＤ表示例を示す図である。図示例は、データ変更があったＩＣの名称、ＩＣのサブアドレス、変更後のデータが表示されている。この表示は、データ変更があったＩＣのさらに変更があった項目のみを表示するようにしたものである。このように表示を限定したことで、映像表示領域が広くなり、作業性が向上する。
【００２２】
図８はディスプレイ部１のＯＳＤ表示例を示す図である。図示例は、表示画面を１ページとし、各ページに各ＩＣを割りつけ、マイコンポートも１ページを割りつけ、図示しないＲ／Ｃやトグル等により切り換え指令の入力があると順に各ページを切り換えて表示するようにしたものである。この場合は、指定したＩＣ等を１ページ単位で表示することができるため、確認作業が容易となる。
【００２３】
図９はディスプレイ部１のＯＳＤ表示例を示す図である。図示例は、各ＩＣの名称、ＩＣのスレーブアドレス、同じくサブアドレス、変更前のデータ、変更後のデータを表示するとともに、ＩＣに動作エラーやデータ送信にエラーが発生した場合は、そのＩＣのデータ表示部分にエラー表示をするようにしたものである。このように、エラー表示をすることで、一目で故障したＩＣを特定することができ、作業能率が向上する。
【００２４】
【発明の効果】
以上述べたように本発明によれば、システムに接続されている各ＩＣの状態、制御データの変更前後の状態、ポートの状態等を画面上に一覧表示させることで、ユーザ調整や工程調整の作業能率および信頼性の向上が可能となる。また、出荷後の故障サービス時にも、故障箇所の特定が容易となる等の効果がある。
【図面の簡単な説明】
【図１】本発明の第１の実施形態を示すブロック図である。
【図２】本発明の第２の実施形態を示すブロック図である。
【図３】ディスプレイ部のＯＳＤ表示例を示す図である。
【図４】ディスプレイ部のＯＳＤ表示例を示す図である。
【図５】ディスプレイ部のＯＳＤ表示例を示す図である。
【図６】ディスプレイ部のＯＳＤ表示例を示す図である。
【図７】ディスプレイ部のＯＳＤ表示例を示す図である。
【図８】ディスプレイ部のＯＳＤ表示例を示す図である。
【図９】ディスプレイ部のＯＳＤ表示例を示す図である。
【符号の説明】
１  ディスプレイ部
２  映像処理部
３  システムマイコン
４  内部ＲＡＭ
５  ＥＥＰＲＯＭ
６  ＯＳＤ作成部
７〜１２  ＩＣ
１３  ＩＩＣバス
１４  ＩＩＣバス
【図１】
2004274424.tif 000003
【図２】
2004274424.tif 000004
【図３】
2004274424.tif 000005
【図４】
2004274424.tif 000006
【図５】
2004274424.tif 000007
【図６】
2004274424.tif 000008
【図７】
2004274424.tif 000009
【図８】
2004274424.tif 000010
【図９】
2004274424.tif 000011